(57)【要約】【課題】自然の景観を損なわず環境の保護と調和を重視するニーズに十分に対応できる、植栽部を備えた土木構造物及びその構築工法を提供する。【解決手段】土木構造物の外壁は一定高さ位置毎に厚さ方向に後退して、そこに一定幅の植栽部が設けられ、前記外壁は鋼矢板で組み立てられ、その内側に水平姿勢のアンカー材が複数本ずつ設けられ、当該外壁の天端から植栽部に必要な深さを除く高さまで硬化材が充填されて前記アンカー材を埋め込んでおり、前記硬化材の上面に、植栽部の幅寸だけ厚さ方向に後退した部位にコンクリート基礎が設けられ、その上に次上段の外壁が前記鋼矢板で組み立てられ、前記下段の外壁と前記次上段の外壁との間に凹溝状の植栽部が形成され、前記植栽部に植栽用の土砂が充填され、以下、同様に外壁部分の上下方向に複数段の植栽部が設けられ、植栽が行われている。【選択図】図１
2004176314.tif 000002
【特許請求の範囲】
【請求項１】
外壁の内側にコンクリート等の硬化材を充填して構築された土木構造物であって、
土木構造物の外壁は、一定の高さ位置毎に厚さ方向に後退して、そこに一定幅の植栽部が設けられていること、
前記外壁は、コンクリート基礎の上に複数の短尺の鋼矢板で組み立てられており、その内側に、一定高さ位置毎にほぼ水平姿勢のアンカー材が複数本ずつ設けられ、当該外壁の天端から植栽部に必要な深さを除く高さまで硬化材が充填されて前記アンカー材を埋め込んでおり、前記硬化材の上面に、植栽部の幅寸だけ厚さ方向に後退した部位にコンクリート基礎が設けられ、その上に次上段の外壁が前記鋼矢板で組み立てられ、前記下段の外壁と前記次上段の外壁との間に凹溝状の植栽部が形成され、前記植栽部に植栽用の土砂が充填されていること、
以下、同様にして外壁部分の上下方向に複数段の植栽部が設けられ、植栽が行われていることを特徴とする、植栽部を備えた土木構造物。
【請求項２】
外壁の内側にコンクリート等の硬化材を充填して構築された土木構造物であって、
土木構造物の外壁は、一定の高さ位置毎に厚さ方向に後退して、そこに一定幅の植栽部が設けられていること、
前記外壁は、コンクリート基礎の上に複数の間伐材を水平方向に積み重ねて組み立てられており、その内側に、一定高さ位置毎にほぼ水平姿勢のアンカー材が複数本ずつ設けられ、当該外壁の天端から植栽部に必要な深さを除く高さまで硬化材が充填されて前記アンカー材を埋め込んでおり、前記硬化材の上面に、植栽部の幅寸だけ厚さ方向に後退した部位にコンクリート基礎が設けられ、その上に次上段の外壁が前記間伐材を水平方向に積み重ねて組み立てられ、前記下段の外壁と前記次上段の外壁との間に凹溝状の植栽部が形成され、前記植栽部に植栽用の土砂が充填されていること、
以下、同様にして外壁部分の上下方向に複数段の植栽部が設けられ、植栽が行われていることを特徴とする、植栽部を備えた土木構造物。
【請求項３】
外壁の内側に充填する硬化材は、少なくとも一段のアンカー材をほぼ水平な姿勢で埋め込むに足る高さを１ユニットとして、１回又は複数回に分けた分量ずつ充填し、且つ養生を行う工程により充填されていることを特徴とする、請求項１又は２に記載した植栽部を備えた土木構造物。
【請求項４】
アンカー材は、その一端は腹起こし材に取り付けられ、他端は下向きに折り曲げられていることを特徴とする、請求項１〜３のいずれか一に記載した植栽部を備えた土木構造物。
【請求項５】
外壁の上縁部の高さは水平方向に一直線状に揃えられ、同上縁部の上に堤冠材が取り付けられていることを特徴とする、請求項１〜４のいずれか一に記載した植栽部を備えた土木構造物。
【請求項６】
硬化材は、現地発生土と砕石、水及びセメントから成るソイルセメントであることを特徴とする、請求項１〜５のいずれか一に記載した植栽部を備えた土木構造物。
【請求項７】
外壁の内側にコンクリート等の硬化材を段階的に充填して構築する土木構造物の構築工法であって、
前記外壁は、コンクリート基礎の上に複数の短尺の鋼矢板で組み立て、その内側に、一定高さ位置毎にほぼ水平姿勢のアンカー材を複数本ずつ段階的に取り付け、当該外壁の天端から植栽部に必要な深さを除く高さまで硬化材を段階的に充填して前記アンカー材を埋め込み、前記硬化材の上面に、植栽部の幅寸だけ厚さ方向に後退した部位にコンクリート基礎を設け、その上に次上段の外壁を前記鋼矢板で組み立てて前記下段の外壁と前記次上段の外壁との間に凹溝状の植栽部を形成し、前記植栽部に植栽用の土砂を充填すること、
前記外壁の下部は、コンクリート基礎の上面に、鋼矢板の下端を挿入できる上向きに開口した溝形断面材である基礎梁を配置し、同コンクリート基礎の上面に固定したアンカー金具によって前記基礎梁を位置決めしており、前記アンカー金具及びこれと結合した斜めのサポート材により比較的短い支柱を所望の法面勾配で立てて、前記支柱の間に水平方向の腹起こし材を支持させ、前記基礎梁の溝内に下端を挿入した鋼矢板を前記腹起こし材と結合して支持せしめること、
以下、同様の工程を繰り返し行い、外壁を一定の高さ位置毎に厚さ方向に後退して外壁部分の上下方向に一定幅の植栽部を複数段設け、植栽を行うことを特徴とする、植栽部を備えた土木構造物の構築工法。
【請求項８】
外壁を構成する短尺の鋼矢板は、コンクリート基礎上の一段目に、モジュール長さ及び略１／２モジュール長さに加工した鋼矢板を互い違いの配置に接合し、その上縁部の継目を上下左右方向に背が低いものと背が高いものとが互い違いの配置となる段違いの千鳥状配置に形成し、充填する硬化材の天端よりも少なくとも一工程分だけ先行して組み立てを進めることを特徴とする、請求項７に記載した植栽部を備えた土木構造物の構築工法。
【請求項９】
外壁の内側にコンクリート等の硬化材を段階的に充填して構築する土木構造物の構築工法であって、
前記外壁は、コンクリート基礎の上に複数の間伐材を水平方向に積み重ねて組み立て、その内側に、一定高さ位置毎にほぼ水平姿勢のアンカー材を複数本ずつ段階的に取り付け、当該外壁の天端から植栽部に必要な深さを除く高さまで硬化材を段階的に充填して前記アンカー材を埋め込み、前記硬化材の上面に、植栽部の幅寸だけ厚さ方向に後退した部位にコンクリート基礎を設け、その上に次上段の外壁を前記間伐材を水平方向に積み重ねて組み立てて前記下段の外壁と前記次上段の外壁との間に凹溝状の植栽部を形成し、前記植栽部に植栽用の土砂を充填すること、
前記外壁の下部は、コンクリート基礎の上面にアンカー金具を固定し、該アンカー金具と結合した斜めのサポート材により前記間伐材を支持するＨ形鋼等の支柱を所望の法面勾配で立てて、前記支柱の間に水平方向の腹起こし材を支持せしめること、
以下、同様の工程を繰り返し行い、外壁を一定の高さ位置毎に厚さ方向に後退して外壁部分の上下方向に一定幅の植栽部を複数段設け、植栽を行うことを特徴とする、植栽部を備えた土木構造物の構築工法。
【発明の詳細な説明】
【０００１】
【発明の属する技術分野】
この発明は、短尺の鋼矢板から成る外壁、又は間伐材から成る外壁の内側にコンクリート等の硬化材を充填して構築された植栽部を備えた土木構造物及びその構築工法の技術分野に属し、更に云えば、階段状の法面勾配が形成され、その平面スペースに植栽部を備えることにより、土留め擁壁、或いは治山堰堤、砂防堰堤の下流側の外壁に好適に使用される、土木構造物及びその構築工法に関する。
【０００２】
【従来の技術】
短尺の鋼矢板をコンクリート型枠兼用の外壁材として用い、前記外壁材と地山の法面との間にコンクリートを打設した土留め擁壁及びその構築工法として、本出願人が提案した技術が今般出願公開された（特許文献１参照）。
この土留め擁壁及びその構築工法は、明細書の段落番号［０００２］〜［０００７］に記載しているように、従来技術の問題点を全て解消した技術であり、施工的及び経済的並びに構造力学的に大変優れており、万全であると云える。
また、本出願人は、前記技術に派生して、特願２００２−１９９９２１、特願２００２−２０９４２０に提案しているように、短尺の鋼矢板等の外壁材を長手方向の両側面位置に沿って並立させ、これら相対峙する一対の外壁材の内側にコンクリート等の硬化材を充填して構築された所謂ダブルウォール型の土木構造物及びその構築工法を開発している。この技術は、主に砂防堰堤や治山堰堤に好適に実施されるが、やはり、従来技術の問題点を全て解消した技術であり、施工的及び経済的並びに構造力学的に大変優れており、万全であると云える。
【特許文献１】
特開２００２−２４２２１０号公報
【０００３】
【本発明が解決しようとする課題】
しかしながら、本出願人が開発した土留め擁壁、砂防堰堤等の上記土木構造物は、施工的及び経済的並びに構造力学的には大変優れているものの、その外観全面が鋼矢板等の外壁材で覆われているため、自然の景観を損ねてしまい、環境の保護と調和を重視するニーズに対応できていない点で改良の余地が残されていると云える。
したがって、本発明の目的は、施工的及び経済的並びに構造力学的に大変優れていると共に、自然の景観を損なわず、環境の保護と調和を重視するニーズに十分に対応できる、地球に優しい、植栽部を備えた土木構造物及びその構築工法を提供することにある。
【０００４】
【課題を解決するための手段】
上記従来技術の課題を解決するための手段として、請求項１に記載した発明に係る植栽部を備えた土木構造物は、
外壁の内側にコンクリート等の硬化材を充填して構築された土木構造物であって、
土木構造物の外壁は、一定の高さ位置毎に厚さ方向に後退して、そこに一定幅の植栽部が設けられていること、
前記外壁は、コンクリート基礎の上に複数の短尺の鋼矢板で組み立てられており、その内側に、一定高さ位置毎にほぼ水平姿勢のアンカー材が複数本ずつ設けられ、当該外壁の天端から植栽部に必要な深さを除く高さまで硬化材が充填されて前記アンカー材を埋め込んでおり、前記硬化材の上面に、植栽部の幅寸だけ厚さ方向に後退した部位にコンクリート基礎が設けられ、その上に次上段の外壁が前記鋼矢板で組み立てられ、前記下段の外壁と前記次上段の外壁との間に凹溝状の植栽部が形成され、前記植栽部に植栽用の土砂が充填されていること、
以下、同様にして外壁部分の上下方向に複数段の植栽部が設けられ、植栽が行われていることを特徴とする。
【０００５】
請求項２に記載した発明に係る植栽部を備えた土木構造物は、
外壁の内側にコンクリート等の硬化材を充填して構築された土木構造物であって、
土木構造物の外壁は、一定の高さ位置毎に厚さ方向に後退して、そこに一定幅の植栽部が設けられていること、
前記外壁は、コンクリート基礎の上に複数の間伐材を水平方向に積み重ねて組み立てられており、その内側に、一定高さ位置毎にほぼ水平姿勢のアンカー材が複数本ずつ設けられ、当該外壁の天端から植栽部に必要な深さを除く高さまで硬化材が充填されて前記アンカー材を埋め込んでおり、前記硬化材の上面に、植栽部の幅寸だけ厚さ方向に後退した部位にコンクリート基礎が設けられ、その上に次上段の外壁が前記間伐材を水平方向に積み重ねて組み立てられ、前記下段の外壁と前記次上段の外壁との間に凹溝状の植栽部が形成され、前記植栽部に植栽用の土砂が充填されていること、
以下、同様にして外壁部分の上下方向に複数段の植栽部が設けられ、植栽が行われていることを特徴とする。
【０００６】
請求項３に記載した発明は、請求項１又は２に記載した植栽部を備えた土木構造物において、
外壁の内側に充填する硬化材は、少なくとも一段のアンカー材をほぼ水平な姿勢で埋め込むに足る高さを１ユニットとして、１回又は複数回に分けた分量ずつ充填し、且つ養生を行う工程により充填されていることを特徴とする。
【０００７】
請求項４に記載した発明は、請求項１〜３のいずれか一に記載した植栽部を備えた土木構造物において、
アンカー材は、その一端は腹起こし材に取り付けられ、他端は下向きに折り曲げられていることを特徴とする。
【０００８】
請求項５に記載した発明は、請求項１〜４のいずれか一に記載した植栽部を備えた土木構造物において、
外壁の上縁部の高さは水平方向に一直線状に揃えられ、同上縁部の上に堤冠材が取り付けられていることを特徴とする。
【０００９】
請求項６に記載した発明は、請求項１〜５のいずれか一に記載した植栽部を備えた土木構造物において、
硬化材は、現地発生土と砕石、水及びセメントから成るソイルセメントであることを特徴とする。
【００１０】
請求項７に記載した発明に係る植栽部を備えた土木構造物の構築工法は、
外壁の内側にコンクリート等の硬化材を段階的に充填して構築する土木構造物の構築工法であって、
前記外壁は、コンクリート基礎の上に複数の短尺の鋼矢板で組み立て、その内側に、一定高さ位置毎にほぼ水平姿勢のアンカー材を複数本ずつ段階的に取り付け、当該外壁の天端から植栽部に必要な深さを除く高さまで硬化材を段階的に充填して前記アンカー材を埋め込み、前記硬化材の上面に、植栽部の幅寸だけ厚さ方向に後退した部位にコンクリート基礎を設け、その上に次上段の外壁を前記鋼矢板で組み立てて前記下段の外壁と前記次上段の外壁との間に凹溝状の植栽部を形成し、前記植栽部に植栽用の土砂を充填すること、
前記外壁の下部は、コンクリート基礎の上面に、鋼矢板の下端を挿入できる上向きに開口した溝形断面材である基礎梁を配置し、同コンクリート基礎の上面に固定したアンカー金具によって前記基礎梁を位置決めしており、前記アンカー金具及びこれと結合した斜めのサポート材により比較的短い支柱を所望の法面勾配で立てて、前記支柱の間に水平方向の腹起こし材を支持させ、前記基礎梁の溝内に下端を挿入した鋼矢板を前記腹起こし材と結合して支持せしめること、
以下、同様の工程を繰り返し行い、外壁を一定の高さ位置毎に厚さ方向に後退して外壁部分の上下方向に一定幅の植栽部を複数段設け、植栽を行うことを特徴とする。
【００１１】
請求項８に記載した発明は、請求項７に記載した植栽部を備えた土木構造物の構築工法において、
外壁を構成する短尺の鋼矢板は、コンクリート基礎上の一段目に、モジュール長さ及び略１／２モジュール長さに加工した鋼矢板を互い違いの配置に接合し、その上縁部の継目を上下左右方向に背が低いものと背が高いものとが互い違いの配置となる段違いの千鳥状配置に形成し、充填する硬化材の天端よりも少なくとも一工程分だけ先行して組み立てを進めることを特徴とする。
【００１２】
請求項９に記載した発明に係る植栽部を備えた土木構造物の構築工法は、
外壁の内側にコンクリート等の硬化材を段階的に充填して構築する土木構造物の構築工法であって、
前記外壁は、コンクリート基礎の上に複数の間伐材を水平方向に積み重ねて組み立て、その内側に、一定高さ位置毎にほぼ水平姿勢のアンカー材を複数本ずつ段階的に取り付け、当該外壁の天端から植栽部に必要な深さを除く高さまで硬化材を段階的に充填して前記アンカー材を埋め込み、前記硬化材の上面に、植栽部の幅寸だけ厚さ方向に後退した部位にコンクリート基礎を設け、その上に次上段の外壁を前記間伐材を水平方向に積み重ねて組み立てて前記下段の外壁と前記次上段の外壁との間に凹溝状の植栽部を形成し、前記植栽部に植栽用の土砂を充填すること、
前記外壁の下部は、コンクリート基礎の上面にアンカー金具を固定し、該アンカー金具と結合した斜めのサポート材により前記間伐材を支持するＨ形鋼等の支柱を所望の法面勾配で立てて、前記支柱の間に水平方向の腹起こし材を支持せしめること、
以下、同様の工程を繰り返し行い、外壁を一定の高さ位置毎に厚さ方向に後退して外壁部分の上下方向に一定幅の植栽部を複数段設け、植栽を行うことを特徴とする。
【００１３】
【本発明の実施形態、及び実施例】
先ずは、請求項７に記載した発明に係る植栽部を備えた土木構造物の構築工法の実施形態を図面に基づいて説明し、併せて請求項１に記載した発明に係る植栽部を備えた土木構造物の構成を逐次説明する。
本発明の構築工法は、図１に示したように、地山１の法面１ａが崩落するのを防ぐために構築される土留め擁壁（土木構造物）Ｗの長手方向（紙面と垂直方向）に沿って設置された外壁１１、２１、３１を構築し、その内側に、コンクリート等の硬化材３を段階的に充填して同土木構造物Ｗを構築する工法であり、前記外壁１１、２１、３１を複数の短尺の鋼矢板２で組み立てることを特徴とする。しかも、前記外壁１１、２１、３１は、一定の高さ位置毎に厚さ方向に順次後退して、そこに一定幅（本実施形態では５０ｃｍ程度）の凹溝状の植栽部１３を設け、その内側面には一定高さ位置毎にほぼ水平姿勢のアンカー材４…を複数本ずつ取り付け、これを硬化材３の中に埋め込み、強度を発現した硬化材３のアンカー作用で、外壁１１、２１、３１の自立支持及び形態保持を行うことも特徴としている。
【００１４】
以下、更に具体的な説明を進める。
先ず、鋼矢板２で組み立てる第一段目の外壁１１の構築について説明する。図２は複数の短尺の鋼矢板２で組み立てた前記第一段目の外壁１１の完成状態の一例を部分的に示し、図３〜図５は同外壁１１の組み立て要領を示している。
図３と図４は、地盤上に打設したコンクリート基礎５の上で第一段目の外壁１１の組み立てを行った状況を示している。コンクリート基礎５の構築に際して予め埋め込みアンカーを用意するか、又は完成したコンクリート基礎５にアンカー用孔を削孔して彫り込みアンカーを用意するなどし、そのアンカーボルト６を利用して、アングル等によるアンカー金具７の内側端部を固定する。同アンカー金具７の外側端部に、鋼矢板２の下端を挿入できその位置を定める上向きに開口した溝形断面材である基礎梁８がほぼ直角な向き（土木構造物Ｗの長手方向）に連結されており、前記アンカー金具７…により、基礎梁８の位置決め固定が行われる。
【００１５】
前記アンカー金具７は、支柱９の設置位置と対応する間隔（約２ｍ）で基礎梁８の長手方向に複数設置されている。下端を前記アンカー金具７とボルト止め等の手段で結合した斜めのサポート材１０の上端部と、やはり下端部を基礎梁８の溝内へ挿入して外壁断面のセンター位置へボルト止め等により位置決めした支柱９の上部とを交わらせ、ボルトで固定する手法により、支柱９は当該土木構造物Ｗについて設計された所望の法面勾配に立てられ強固に支持される。支柱９にはアングル材等が使用され、後記する標準モジュール寸法（一例として長さ約１ｍ）の鋼矢板２Ａよりも少し長い程度で、言うなれば外壁１１の下部の一段目のみを支持する程度に比較的短い支柱９として立てられている。
上記のようにして立てた各支柱９、９…の間に、第一段目及び第二段目の腹起こし材１２ａと１２ｂがそれぞれ水平方向に配置されボルト止め等の手段で結合して架設支持されている。腹起こし材１２には通例アングル材が使用され、その上辺が水平面となる態様で支柱９…へ取り付けられる。
【００１６】
前記第一段目及び第二段目の腹起こし材１２ａ、１２ｂの取り付け位置について説明する。第二段目の腹起こし材１２ｂは、図４の（イ）列の位置に建てた標準モジュール寸法の鋼矢板２Ａの上縁部よりも少し下がった位置にほぼ水平に配置され、その隣の（ロ）列の位置の鋼矢板２Ａの上部とボルト止め等による結合が行われる。第一段目の腹起こし材１２ａは、前記第二段目の腹起こし材１２ｂの位置よりはずっと下方の約１／４高さ付近の位置、即ち、コンクリート基礎５の上に建てた（ロ）列の位置の略１／２モジュール長さの鋼矢板２Ｂとのボルト止め等による結合が可能な高さ位置に設置される。図２中の符号１５は腹起こし材同士の接続金物を指している。
【００１７】
次に、コンクリート基礎５の上に第一段目の鋼矢板２を組み立てる要領を、図３と図４に基づいて説明する。
鋼矢板２としては、軽量型で本発明が標準と定めたモジュール長さ寸法（以下、標準モジュール寸法と云う＝長さ約１ｍ、幅寸は３５５ｍｍ、厚さ４〜６ｍｍ）の標準鋼矢板２Ａと、長さ寸法が約１／２モジュール寸法（長さ約５０ｃｍ）の短いハーフ鋼矢板２Ｂの２種を使用する。第一段目の鋼矢板２Ａと２Ｂは、下端をそれぞれ、コンクリート基礎５上の基礎梁８の溝内へ挿入して互い違いに配置する。隣接する鋼矢板同士はその両側縁に有するグリップ形状のスライドジョイント部３０を接合して（図５参照）、上記の支柱９の傾斜に沿って建て込む。図４中の（ロ）の列に属するハーフ鋼矢板２Ｂは、前記第一段目の腹起こし材１２ａとボルト止め等の手段で結合する。（イ）の列に属する標準鋼矢板２Ａは第一段目及び第二段目の腹起こし材１２ａ、１２ｂのいずれとも結合しない。鋼矢板２の建て込み時に必要な自由度を残すためである。
前記（ロ）の列に属するハーフ鋼矢板２Ｂの上に、標準モジュール寸法の標準鋼矢板２Ａをもう１枚建て込み、これを第二段目の腹起こし材１２ｂと結合して、第一段目の鋼矢板２の組み立て作業を終了する。
【００１８】
したがって、一段目の各鋼矢板２Ａ、２Ｂの上縁部（つまり、上下の鋼矢板２Ａ、２Ｂ同士の継目１４に相当）は、図４に示した通り、上下左右方向に背が低いものと背が高いものとが互い違いの配置、即ち段違いの千鳥状配置に形成される。
図３、図４に示すように、鋼矢板２の第一段目の組み立てを完成した状態で、最初の１ユニットの硬化材３充填工程を実施する。
硬化材３としては、通常コンクリートを使用することが多いが、現地発生土と砕石、水及びセメントから成るソイルセメント（請求項６記載の発明）などを、施工場所等の条件に応じて適宜選択して使用することができる。以下に説明する第２の実施形態についても略同様の技術的思想とする。
【００１９】
硬化材３を充填する工程は、前記第一段目の外壁１１の内側へ、少なくとも一段のアンカー材４をほぼ水平な姿勢で埋め込むに足る高さを１ユニットとして実施する。また、１ユニットの施工は、その層厚（２５〜１５０ｃｍ程度の範囲内、通例１００ｃｍ程度で実施される）を複数に分けた分量ずつ区分して充填し、転圧して養生を行う工程を、当該１ユニットの高さまで複数回に分けて繰り返し行う。なお、前記１ユニットの層厚が２５ｃｍ程度と薄い（低い）場合には複数回に分けて実施する必要はなく、１回で充填し、転圧して養生を行うこともできる（請求項３記載の発明）。以下に説明する第２の実施形態についても略同様の技術的思想とする。
【００２０】
更に、具体的に図３、図４の実施形態に基づいて硬化材３の充填工程を説明する。
コンクリート基礎５の上面から第二段目の腹起こし材１２ｂの位置を少し超える垂直高さＬ１（約１００ｃｍ）のレベルまで（つまり、図４中（イ）列の標準鋼矢板２Ａの上縁近傍位置まで）を、硬化材３の１ユニットの充填作業として行う。この第一段階の充填作業は、具体的には前記１ユニットの充填層厚（約１００ｃｍ）を例えば２５ｃｍずつ４回に小分けして段階的に進める。その理由は、硬化材３を一定の層厚に充填した後、その層の硬化材３を集中的に振動ローラー等で転圧し、強度を発現するまで養生する工程を効果的に行う配慮による。
【００２１】
１ユニットの充填工程の終局に相当する第４回目の充填作業に先立ち、直前の充填工程で強度を発現し硬化した硬化材３の上面を作業員の足場に利用して、第二段目の腹起こし材１２ｂに予め用意した取付用孔へアンカー材４の一端を引っ掛けて止める等の手法で第一段目のアンカー材４を取り付ける。そして、同アンカー材４を例えば上方からワイヤーで吊るなどして略水平姿勢に保ち、レベルＬ１までの硬化材３の充填工程を進める。その硬化材３の充填及び転圧、養生の工程を遂行することにより、前記第一段目のアンカー材４はほぼ水平な姿勢に充填材３の中に埋設され、その後強度を発現した硬化材３によるアンカー作用を受ける。よって、このアンカー材４は次上位の組立状態にある外壁１１（鋼矢板２）の自立支持及び形状保持機能を働く。
【００２２】
なお、前記アンカー材４は、外壁１１と硬化材３との一体化を更に高めるべく、その先端部を下向きに折り曲げて、既に充填した硬化材３に埋め込むように実施することが好ましい（請求項４記載の発明）。
上記したように硬化材３をレベルＬ１まで充填する工程の間、前記外壁１１の下部は、硬化材３の充填圧力、及び転圧等による圧力などに対する耐力、及び剛性（形態保持性能）を、コンクリート基礎５へアンカーしたアンカー金具７とサポート材１０及び支柱９、並びに同支柱９…の間へ水平方向に取り付けた腹起こし材１２ａ、１２ｂによる架構で確保する。次上位以上に組み立てた外壁１１の耐力及び剛性は、上記したように直前のレベルＬ１まで充填した硬化材３の中に埋設され強度を発現した硬化材３のアンカー作用を受けるアンカー材４の支持力によってもたらされる。
上記のようにして最初の１ユニットのレベルＬ１まで硬化材３を充填し、その強度が発現した段階で、前記レベルＬ１の硬化材３の上面を作業員の足場にして、次上位の鋼矢板２の組み立てが行われる。
【００２３】
図４に符号（イ）で示した列の背が低い鋼矢板２Ａの上に、矢印Ｙで示したように、標準モジュール寸法の鋼矢板２Ａ…を、両隣の１／２モジュール長さ分だけ上方へ突き出ている符号（ロ）の列の鋼矢板２Ａ、２Ａのジョイント部３０（図５参照）との接合を行いつつ順次建て込んで継ぎ足す。続いて、前記建て込みの結果、相対的に背が低くなった符号（ロ）の列の鋼矢板２Ａの上に、標準鋼矢板２Ａを両隣の鋼矢板２Ａのジョイント部と接合を行いつつ順次建て込んで継ぎ足す。そして、先に（イ）の列に建て込んだ二段目の鋼矢板２Ａの上縁より少し下がった位置に三段目の腹起こし材１２ｃを配置し、今度も（ロ）の列の鋼矢板２Ａとのみ結合を行って次上位の鋼矢板２の組み立てが終わる。
結局、次上位の鋼矢板２も（ロ）の列の鋼矢板２Ａが１／２モジュール寸法だけ先行して背が高く構築される。鋼矢板２による第一段目の外壁１１の組み立ては以下同様の作業工程を繰り返して行われる。よって各鋼矢板２Ａ、２Ｂの上縁部（継目）は上下左右に互い違いの配置となる千鳥状配置に組み立てられる。
【００２４】
上記外壁板１１の組み立て作業のときも、作業員は、レベルＬ１まで先行して充填し硬化した硬化材３の上面を足場に利用できるから、外壁１１組み立て用の作業足場を組み立てる必要はない。標準モジュール寸法の鋼矢板２Ａは軽量型（軽量鋼矢板）であるから、人手により容易に運搬や持ち上げ等することができ、重機類を必要としない。
上記のとおり、第一段目の外壁１１を構成する各鋼矢板２Ａ、２Ｂの上縁部は、常に上下左右に段違いの千鳥状配置に接合して組み立てが進められるから、外壁１１の剛性度は平均して高い。また、外壁１１の組み立ては、標準モジュール寸法の鋼矢板２Ａの長さ（約１００ｃｍ）を１ユニットとして行う硬化材３の充填工程よりも、一工程分先行して行われる（請求項８記載の発明）。腹起こし材１２の上下方向ピッチも約１００ｃｍ間隔となる。腹起こし材１２の位置毎に段階的に取り付けを行う各段のアンカー材４の上下方向間隔も約１００ｃｍに配置されることになる。
【００２５】
以下、次のユニットの硬化材３の充填工程を、アンカー材４の設置と併せて上述した内容で行い、更に鋼矢板２の組み立てを先行して行う工程を、順次、所要の高さまで繰り返すことになる。
但し、外壁１１の上端部分に関しては、図２に示したように、再び標準モジュール寸法の１／２長さのハーフ鋼矢板２Ｂを併用することにより、上縁を水平方向に一直線状に揃え、その上縁部の上にアングル材等を使用した堤冠材１４を取り付ける（請求項５記載の発明）。
硬化材３は、前記外壁１１の天端Ｓ（堤冠材１４）から植栽部に必要な深さＴを除く高さＬ２まで充填する。
つづいて、前記高さＬ２まで充填した硬化材３の上面における厚さ方向に、植栽部を有するのに必要な幅寸Ｂ（本実施形態では５０ｃｍ程度）後退した部位にコンクリート基礎５を打設し、以下、前記した工程と同様の工程を行って第二段目の外壁２１を組み立てて、硬化材３を所要の高さまで充填する。
【００２６】
即ち、当該コンクリート基礎５の上に、第二段目の外壁２１の下端を挿入できる基礎梁８を配置し、同コンクリート基礎５の上面に固定したアンカー金具７によって前記基礎梁８を位置決めしており、前記アンカー金具７及びこれと結合した斜めのサポート材１０により比較的短い支柱９を法面勾配で立てて、前記支柱９の間に水平方向の腹起こし材１２を支持させる。
前記第二段目の外壁２１は、複数の短尺の鋼矢板２を組み合わせて成り、その第一段目の鋼矢板２の下端を前記基礎梁８の溝内に挿入して前記腹起こし材１２ａと結合し、水平方向に隣接する鋼矢板２同士はジョイント部で繋ぎ、且つ上下方向の鋼矢板２同士を突き合わせ接続して、その水平縁を上下左右方向に段違いの千鳥状配置に接合して前記腹起こし材１２ａと結合して組み立てる。
前記第二段目の外壁２１の内側面の一定高さ位置毎にアンカー材４をほぼ水平な姿勢で複数本ずつ段階的に取り付け、前記第二段目の外壁２１の内側に充填する硬化材３は、少なくとも一段の高さのアンカー材４をほぼ水平な姿勢で埋め込むに足る高さを１ユニットとして充填と養生を行う工程を、１回又は複数回に分けて繰り返し行い、所要の高さまで充填するのである。
【００２７】
つづいて、第一段目の外壁１１上部と第二段目の外壁２１下部との間に凹溝状の植栽部１３を形成し、前記植栽部１３に植栽用の土砂（図示を省略）を充填する。
以下必要に応じて、上記した工程と同様の工程を厚さ方向に繰り返し行うことにより、外壁部分の上下方向に一定幅の植栽部１３を複数段設け、植栽を行う。
ちなみに、本実施形態では、第三段目の外壁３１まで形成し、前記外壁２１、３１の前面にそれぞれ凹溝状の植栽部１３を設けて実施している（以上、請求項１及び７に記載した発明）。
【００２８】
次に、請求項９に記載した発明に係る植栽部を備えた土木構造物の構築工法の実施形態を図面に基づいて説明し、併せて請求項２に記載した発明に係る植栽部を備えた土木構造物の構成を逐次説明する。なお、硬化材３、アンカー材４等については、図１〜図５と同一の符号を付してその説明を適宜省略する。
本発明の構築工法は、図６に示したように、地山１の法面１ａが崩落するのを防ぐために構築される土留め擁壁（土木構造物）Ｖの長手方向（紙面と垂直方向）に沿って設置された外壁１６、２６、３６を構築し、その内側に、コンクリート等の硬化材３を段階的に充填して同土木構造物Ｖを構築する工法であり、前記外壁１６、２６、３６を複数の間伐材１７で組み立てることを特徴とする。
しかも、前記外壁１６、２６、３６は、一定の高さ位置毎に厚さ方向に順次後退して、そこに一定幅（本実施形態では５０ｃｍ程度）の凹溝状の植栽部１３を設け、その内面側には一定の高さ位置毎にほぼ水平姿勢のアンカー材４を複数本ずつ取り付け、これを硬化材３の中に埋め込み、強度を発現した硬化材３のアンカー作用で、外壁１６、２６、３６の自立支持及び形態保持を行うことも特徴としている。
【００２９】
以下、更に具体的な説明を進める。
先ず、間伐材１７で組み立てる第一段目の外壁１６の構築について説明する。図７〜図１３は、間伐材１７で組み立てる前記第一段目の外壁１６の組み立て要領を段階的に示している。
地盤上に打設したコンクリート基礎５ａの構築に際して予め埋め込みアンカーを用意するか、又は完成したコンクリート基礎５ａにアンカー用孔を削孔して彫り込みアンカーを用意するなどし、そのアンカーボルト６を利用して、アングル等によるアンカー金具７の内側端部を固定する。下端を前記アンカー金具７とボルト止め等の手段で結合した斜めのサポート材１０の上端部と、やはり下端を前記アンカー金具７とボルト止め等の手段で結合したＨ形鋼等の支柱１８の下部とを交わらせ、ボルトで固定する手法により、前記支柱１８は当該土木構造物Ｖについて設計された法面勾配に立てられ強固に支持される。前記支柱１８には、水平方向の間伐材１７をきっちり両端支持できる溝部を有するＨ形鋼等の鋼材が好適に使用され、一例として２ｍ程度の支柱１８として立てられている。
【００３０】
因みに、図中の符号１８ａは、前記支柱１８の上端に設けた引っ込みリブを示しており、次上位の支柱１８と一連にボルト接合する場合に用いられる。
なお、本実施形態に係るコンクリート基礎５ａは、前記アンカー金具７、サポート材１０等を少なくとも安定して載置できるように、所要の間隔（３ｍ程度）で断続的に設けて実施しているが、上記した第１の実施形態と同様に、構築する土木構造物Ｖの長手方向に沿って連続して設けて実施することもできる。ちなみに、前記コンクリート基礎５ａを断続的に設けて実施する場合には、隣り合うコンクリート基礎５ａ同士の間は、当該コンクリート基礎５ａの天端までコンクリート（硬化材）３を敷き均して締め固めを行っている。
【００３１】
上記のようにして立てた各支柱１８、１８…の間に、第一段目及び第二段目の腹起こし材１２ａと１２ｂがそれぞれ水平方向に配置されボルト止め等の手段で結合して架設支持されている。腹起こし材１２には通例アングル材が使用され、その上辺が水平面となる態様で支柱１８へ取り付けられる（以上、図７Ａ、Ｂ参照）。
図８に示したように、前記支柱１８、１８…の間に、第一段目の外壁１６を構築する間伐材１７を略水平な姿勢で順次落とし込んで積み重ね、前記支柱１８の略半分の高さ、すなわち１ｍ程度の高さの外壁を構築する。
図９に示したように、コンクリート基礎５ａの上面から第一段目の腹起こし材１２ａの位置を少し超える垂直高さＬ１（約５０ｃｍ）のレベルまでを、硬化材３の１ユニットの充填作業として行う。この第一段階の充填作業は、具体的には前記１ユニットの充填層厚（約５０ｃｍ）を例えば２５ｃｍずつ２回に小分けして段階的に進める。その理由は、硬化材３を一定の層厚に充填した後、その層の硬化材３を集中的に振動ローラー等で転圧し、強度を発現するまで養生する工程を効果的に行う配慮による。
【００３２】
図１０に示したように、前記アンカー材４は、Ｕ字に曲がった先端部分を腹起こし材１２ａのプレート孔に引っ掛け、他方の折り曲げ加工された先端部分を硬化材３に打ち込むことによって固定する（請求項４記載の発明）。この第一段目のアンカー材４はほぼ水平な姿勢に充填材３の中に埋設され、その後、強度を発現した硬化材３によるアンカー作用を受ける。よって、このアンカー材４は次上位の外壁１６の自立支持及び形状保持機能を働く。
上記したように硬化材３をレベルＬ１まで充填する工程の間、前記間伐材１７から成る外壁１６は、硬化材３の充填圧力、及び転圧等による圧力などに対する耐力、及び剛性（形態保持性能）を、コンクリート基礎５ａへアンカーしたアンカー金具７とサポート材１０及び支柱１８、並びに同支柱１８…の間へ水平方向に取り付けた腹起こし材１２ａ、１２ｂによる架構で確保する。次上位を形成する外壁１６の耐力及び剛性は、上記したように直前のレベルＬ１まで充填した硬化材３の中に埋設され強度を発現した硬化材３のアンカー作用を受けるアンカー材４の支持力によってもたらされる。
【００３３】
上記のようにして最初の１ユニットのレベルＬ１まで硬化材３を充填し、その強度が発現した段階で、前記レベルＬ１の硬化材３の上面を作業員の足場にして、前記支柱１８、１８…の間に前記間伐材１７を略水平な姿勢で順次落とし込んで積み重ね、当該支柱１８の天端までの外壁を構築した後、前記硬化材３の充填工程を繰り返し行い、支柱１８の天端から５０ｃｍ程度低い高さ、すなわち１５０ｃｍ程度の高さまで土木構造物を構築する（図１１Ａ〜Ｃ参照）。作業員は、レベルＬ１まで先行して充填し硬化した硬化材３の上面を足場に利用できるから、外壁１６の組み立て用の作業足場を組み立てる必要はない。１本の間伐材１７は、人手により容易に運搬や持ち上げ等することができ重機類を必要としない。
【００３４】
次に、図１２Ａ、Ｂに示したように、前記支柱１８の天端から５０ｃｍ程度低い高さまで硬化材３の打設が完了した後、前記支柱１８の上端に次上位の支柱１８を、その下端に設けた引っ込みリブ１８ａを利用して両者をボルト接合する。前記次上位の支柱１８を接合した後、第三段目の腹起こし材１２ｃを前記した同様の手順で当該支柱１８の内面側に取り付ける。ちなみに、連結する次上位の支柱１８の高さは、１．５ｍ程度とする。
上記のとおり、外壁１６の組み立て、即ち、間伐材１７の積み重ね作業は、１ユニットとして行う硬化材３の充填工程よりも、一工程分先行して行われる。腹起こし材１２の上下方向ピッチは約１００ｃｍ間隔となる。腹起こし材１２の位置毎に段階的に取り付けを行う各段のアンカー材４の上下方向間隔も約１００ｃｍに配置されることになる。
【００３５】
以下、次のユニットの硬化材３の充填工程を、アンカー材４の設置と併せて上述した内容で行い、硬化材３は、前記外壁１６の天端Ｓから植栽部１３に必要な深さＴを除く高さＬ２（２５０ｃｍ程度）まで充填し、第１段目の外壁１６の構築を完了する。なお、外壁１６の上端部分に関しては、上記第１の実施形態と同様に、その上縁を水平方向に一直線状に揃え、その上縁部の上にアングル材等を使用した堤冠材１４を取り付けて実施してもよい（請求項５記載の発明）。
つづいて、前記高さＬ２まで充填した硬化材３の上面に、植栽部１３の幅寸Ｂ（本実施形態では５０ｃｍ程度）だけ厚さ方向に後退した部位にコンクリート基礎５ａを打設し、以下、前記した工程と同様の工程を行って第二段目の外壁２６を前記間伐材を水平方向に積み重ねて組み立て、前記硬化材３を所要の高さまで充填する。
【００３６】
即ち、前記コンクリート基礎５ａの上にアンカー金具７を固定し、該アンカー金具７と結合した斜めのサポート材１０により前記間伐材１７を支持するＨ形鋼等の支柱１８を所望の法面勾配で立てて、前記支柱１８、１８…の間に水平方向の腹起こし材１２を支持させる。そして、前記支柱１８、１８…の間に略水平な間伐材１７を順次落とし込んで積み重ねて組み立てる。前記第二段目の外壁２６の内面側の一定高さ位置毎にアンカー材４をほぼ水平な姿勢で複数本ずつ段階的に取り付ける。前記第二段目の外壁２６の内側に充填する硬化材３は、少なくとも一段の高さのアンカー材４をほぼ水平な姿勢で埋め込むに足る高さを１ユニットとして充填と養生を行う工程を、１回又は複数回に分けて繰り返し行い、所要の高さまで充填する。
【００３７】
つづいて、第一段目の外壁１６上部と第二段目の外壁２６下部との間に凹溝状の植栽部１３を形成し、前記植栽部１３に植栽用の土砂（図示を省略）を充填する。
以下必要に応じて、上記した工程と同様の工程を厚さ方向に繰り返し行うことにより、外壁部分の上下方向に一定幅の植栽部１３を複数段設け、植栽を行う。
ちなみに、本実施形態では、第三段目の外壁３６まで形成し、前記外壁２６、３６の前面にそれぞれ凹溝状の植栽部１３を設けて実施している（以上、請求項２及び９に記載した発明）。
以上に実施形態を図面に基づいて説明したが、本発明は、図示例の実施形態の限りではなく、その技術的思想を逸脱しない範囲において、当業者が通常に行う設計変更、応用のバリエーションの範囲を含むことを念のために言及する。
例えば、上記した各実施形態に係る土木構造物は土留め擁壁として実施しているが、治山堰堤、砂防堰堤の下流側の外壁としても好適に実施できる。
【００３８】
【本発明の奏する効果】
請求項１〜９に記載した発明に係る植栽部を備えた土木構造物及びその構築工法によれば、下記する効果を奏する。
１）一定の高さ位置毎に厚さ方向に後退する外壁は、それぞれ独立した構造で、安定して自立しているので、タイロッド等の連結部材及び骨組み等を一切必要とせず、少ない部材点数、少ない工数で安定した土木構造物を構築することができ、コストの削減と作業効率の向上が可能である。
２）また、前記外壁の下端位置及び傾斜角度等を自在に定めることができ、外壁の定型化を容易に行うことができ、構造力学的にも大変優れている。
３）植栽部を備えているので、自然の景観を損なわず、環境の保護と調和を重視するニーズに十分に対応できる。
４）以上、堰堤や擁壁などの急勾配の法面も容易に緑化することができる、地球に優しい植栽部を備えた土木構造物を実現できるのである。
【図面の簡単な説明】
【図１】請求項１に記載した発明に係る土木構造物の実施形態を示す断面図である。
【図２】鋼矢板による外壁を一段目まで組み立てた状態を示す鳥瞰図である。
【図３】鋼矢板による外壁を組み立てる状況を示す側面図である。
【図４】鋼矢板による外壁を組み立てる状況を示す正面図である。
【図５】鋼矢板による外壁の組み立てた状態を示す平面図である。
【図６】請求項２に記載した発明に係る土木構造物の実施形態を示す断面図である。
【図７】Ａは、間伐材による外壁を組み立てる状況を示す正面図であり、Ｂは同側面図である。
【図８】Ａは、間伐材による外壁を組み立てる状況を示す正面図であり、Ｂは同側面図である。
【図９】間伐材による外壁を組み立てる状況を示す側面図である。
【図１０】間伐材による外壁を組み立てる状況を示す側面図である。
【図１１】Ａ〜Ｃは、間伐材による外壁を組み立てる状況を段階的に示す側面図である。
【図１２】Ａは、間伐材による外壁を組み立てる状況を示す正面図であり、Ｂは同側面図である。
【図１３】Ａは、間伐材による外壁を組み立てる状況を示す正面図であり、Ｂは同側面図である。
【符号の説明】
Ｗ、Ｖ    土木構造物
１    地山
１ａ    法面
２    鋼矢板
３    硬化材（コンクリートなど）
４    アンカー材
５、５ａ    コンクリート基礎
６    アンカーボルト
７    アンカー金具
８    基礎梁
９、１８    支柱
１０    サポート材
１１、２１、３１    鋼矢板による外壁
１６、２６、３６    間伐材による外壁
１２    腹起こし材
１３    植栽部
１４    堤冠材
１５    接続金物
１７    間伐材
３０    ジョイント部
【図１】
2004176314.tif 000003
【図２】
2004176314.tif 000004
【図３】
2004176314.tif 000005
【図４】
2004176314.tif 000006
【図５】
2004176314.tif 000007
【図６】
2004176314.tif 000008
【図７】
2004176314.tif 000009
【図８】
2004176314.tif 000010
【図９】
2004176314.tif 000011
【図１０】
2004176314.tif 000012
【図１１】
2004176314.tif 000013
【図１２】
2004176314.tif 000014
【図１３】
2004176314.tif 000015